(57)【特許請求の範囲】
【請求項１】
複数の部品から組み立てられる対象物の設計図面に関連した情報を提供する図面情報提供システムであって、
前記設計図面の属性情報を識別する複数の識別区分から構成され、複数の前記設計図面のそれぞれに付与される図面コードが設定されており、前記図面コードに紐付けられ、前記設計図面の画像情報からなる図面画像情報と、前記図面画像情報に紐付けられ、前記設計図面に含まれる複数の部品の一覧からなる部品表情報と、前記各部品に紐付けられ、前記部品ごとの詳細な部品情報からなる詳細部品情報とを有する管理サーバと、
前記管理サーバから通信回線を介して取得された前記画像情報、前記部品表情報及び前記詳細部品情報を蓄積する記憶手段と、前記図面コードを構成する前記複数の識別区分にそれぞれ対応した検索手法に基づいて選択される前記図面画像情報及び該図面画像情報に紐付けられた前記部品表情報を前記記憶手段から抽出する図面検索手段と、前記図面検索手段で抽出された前記図面画像情報及び前記部品表情報を表示する表示手段と、前記表示手段で表示された前記部品表情報から入力手段によって前記部品が選択された場合に、該選択された部品に紐付けられた前記詳細部品情報を前記記憶手段から読み出す部品情報読み出し手段と、を有し、前記部品情報読み出し手段で読み出された前記部品情報を前記表示手段に表示する端末とを備えることを特徴とする図面情報提供システム。
【請求項２】
前記図面検索手段は、
前記複数の識別区分にそれぞれ対応した複数の検索手法を、前記複数の識別区分にそれぞれ関連した複数の検索用の選択項目から成る検索画面として前記表示手段を介して表示することにより、前記複数の検索用の選択項目をそれぞれ含む複数の検索画面を階層的に複数段階表示させる、
ことを特徴とする、請求項１記載の図面情報提供システム。
【請求項３】
前記管理サーバは、複数のプロジェクトの前記設計図面に関連した情報を管理データベースに格納しており、
前記図面コードが前記プロジェクトを識別する識別区分を含み、前記複数のプロジェクトのうち指定された前記プロジェクトの前記識別区分を含む前記図面コードに紐付けられた前記図面画像情報と、前記図面画像情報に紐付けられた前記部品表情報と、前記部品表情報に紐付けられた前記詳細部品情報とを前記管理サーバから通信回線を介して取得する指定プロジェクト情報取得手段と、前記指定プロジェクト情報取得手段で取得された情報を格納する現地データベースとを有する現地サーバをさらに備え、
前記端末は、前記現地サーバを介して前記管理サーバから前記指定されたプロジェクトに関する情報のみを取得することを特徴とする請求項１に記載の図面情報提供システム。
【請求項４】
前記管理サーバは、前記部品の追跡情報を蓄積した部品追跡情報データベースから前記各部品の追跡情報を取得して、前記追跡情報を含む前記詳細部品情報を前記現地サーバに送信することを特徴とする請求項３に記載の図面情報提供システム。
【請求項５】
前記管理サーバは、前記管理データベースに格納される前記図面画像情報、前記部品表情報または前記詳細部品情報を更新する更新手段を有しており、
前記現地サーバは、前記更新手段で更新された更新情報を前記管理サーバから取得して前記端末に送信することを特徴とする請求項３に記載の図面情報提供システム。
【請求項６】
前記管理サーバの更新手段は、前記図面画像情報のうち前記管理データベースに予め格納された図面画像情報と、更新された図面画像情報とを比較して差分画像を生成し、
前記管理サーバは、前記更新手段で生成された前記差分画像を前記更新情報として前記現地サーバに送信することを特徴とする請求項５に記載の図面情報提供システム。
【請求項７】
前記識別区分は、前記対象物のプロジェクトを示すプロジェクト区分と、前記対象物を組み立てる作業工程に関する作業区分と、前記対象物が設置されるエリア区分と、前記対象物の機器系統に関する系統区分と、設計画像図面の種類を示す図面種類区分とのうち少なくともいずれかを含むことを特徴とする請求項３に記載の図面情報提供システム。
【請求項８】
前記端末の前記図面検索手段は、前記識別区分に関連した検索用の選択項目を前記表示手段に表示させ、前記入力手段から選択された前記選択項目に基づいて前記図面コードを用いて前記図面画像情報を前記記憶手段から抽出するようにしたことを特徴とする請求項３に記載の図面情報提供システム。
【請求項９】
前記端末の前記図面検索手段は、前記選択項目を図形的に前記表示手段に表示させるようにしたことを特徴とする請求項８に記載の図面情報提供システム。
【請求項１０】
前記端末は、充電池が搭載され、無線回線を介して前記現地サーバから情報を取得可能なポータブル端末であることを特徴とする請求項３に記載の図面情報提供システム。
【発明の詳細な説明】
【技術分野】
【０００１】
本発明は、複数の部品から組み立てられる対象物の設計図面に関連した図面情報を提供する図面情報提供システムに関する。
【背景技術】
【０００２】
一般に、機器や装置等の対象物を施工、建設する場合、複数の設計図面が用いられる。例えば、発電プラントを建設する場合においては、ボイラやタービン等の装置の設計図、配管系統図、電気系統図等のように、膨大な量の図面が必用とされる。これらの図面は、通常ＣＡＤを用いて作成されることが多く、電子的なＣＡＤデータ、またはＣＡＤデータから変換されたＴＩＦＦやＰＤＦなどの画像データとして記憶され、管理されている。この画像データには、設計図面を識別する図面番号が付与されており、従来は、設計図面が必用となったときに、この図面番号を用いて必要な図面を出力していた。
【０００３】
しかし、設計図面が膨大な量になると、必要とする設計図面の図面番号を把握することは大変な労力となる。また、図面番号を把握していないユーザは、必要な図面であっても入手できないこともある。そこで近年は、図面検索機能を有するシステムが提案、実用化されている。その一つとして、図面情報の属性データを対象とするキーワード検索機能を有するシステムがある。これは、ユーザが入力するキーワードに合致する図面情報を検索し、ユーザに提示するものである。この方法では、キーワードが適切であれば容易に所望の情報を見つけ出すことができる。ところが、キーワードが検索意図を適切に表していなかったり、検索意図が曖昧であったりすると、提示される情報量は膨大となり、所望の設計図面を探す作業に時間がかかってしまう。また、所望の設計図面が検索結果から外れてしまうことも考えられる。
【０００４】
そこで、特許文献１には、文字や数字などを入力することなく、所望の設計図面を検索することができる図面管理システムが開示されている。このシステムは、機器名列及び図面の種別名列をそれぞれ縦軸または横軸とした検索用画面を表示し、これらの列から所望する機器名及び図面の種別を選択して該当する図面群を検索するようになっている。
一方、実際の施工、建設作業においては、設計図面の他に、設計図面に記載される部品の情報も必要となる。そこで、特許文献２には、物品を構成する部品よりも下位の階層に属する部品についての構成を把握可能な図面検索装置が開示されている。この装置は、物品を構成する構成情報一覧表に基づいて図面データを検索し、検索された図面データから構成情報一覧表を抽出し、さらに構成情報一覧表から部品展開一覧表を構成して出力するようになっている。
【先行技術文献】
【特許文献】
【０００５】
【特許文献１】特開２００３−９９４８４号公報
【特許文献２】特開２００５−２９３１５３号公報
【発明の概要】
【発明が解決しようとする課題】
【０００６】
上記したように、対象物の施工、建設作業においては、設計図面の他に、設計図面に記載される部品の情報も必要となるが、従来は設計図面を蓄積したデータベースと部品情報を蓄積したデータベースとは独立しており、それぞれを個々に検索する必要があるため、必要な情報を入手するのに時間と手間がかかっていた。
特許文献２の装置によれば、図面データの検索に連係して、物品を構成する部品やその下位階層の部品の構成情報を入手することが可能であるが、入手できる情報は部品の構成情報のみであり、その他の部品情報については別途検索または取得する必要があった。
本発明は、上述の事情に鑑みてなされたものであり、設計図面に関連した各種の情報を提供でき、操作性に優れた図面情報提供システムを提供することを目的とする。
【課題を解決するための手段】
【０００７】
本発明に係る図面情報提供システムは、複数の部品から組み立てられる対象物の設計図面に関連した情報を提供する図面情報提供システムであって、前記設計図面の属性情報を識別する複数の識別区分から構成され、複数の前記設計図面のそれぞれに付与される図面コードが設定されており、前記図面コードに紐付けられ、前記設計図面の画像情報からなる図面画像情報と、前記図面画像情報に紐付けられ、前記設計図面に含まれる複数の部品の一覧からなる部品表情報と、前記各部品に紐付けられ、前記部品ごとの詳細な部品情報からなる詳細部品情報とを有する管理サーバと、前記管理サーバから通信回線を介して取得された前記画像情報、前記部品表情報及び前記詳細部品情報を蓄積する記憶手段と、前記図面コードに基づいて選択される前記図面画像情報及び該図面画像情報に紐付けられた前記部品表情報を前記記憶手段から抽出する図面検索手段と、前記図面検索手段で抽出された前記図面画像情報及び前記部品表情報を表示する表示手段と、前記表示手段で表示された前記部品表から前記入力手段によって前記部品が選択された場合に、該選択された部品に紐付けられた前記詳細部品情報を前記記憶手段から読み出す部品情報読み出し手段とを有し、前記部品情報読み出し手段で抽出された前記部品情報を前記表示手段に表示する端末とを備えることを特徴とする。
【０００８】
本発明によれば、管理サーバが、設計図面の属性情報を識別する図面コードに紐付けて図面画像情報を管理データベースに格納しておき、端末はこれらの情報を取得し、図面コードに基づいて選択される図面画像情報を抽出するようにしたので、設計図面の属性情報から図面画像情報を抽出して表示手段に表示させることができる。このとき、図面コードは複数の属性情報から構成されるようにしたので、必要とされる図面画像情報を異なる属性情報からも検索可能であり、様々な情報要求に対して的確に応えることができる。
また、図面画像情報に紐付けた部品表情報を表示手段に表示させ、この部品表情報の中から入力手段によって部品が選択された場合に、部品表情報に紐付けられた詳細部品情報を読み出して表示手段に表示させるようにしたので、詳細部品情報を簡単に且つ迅速に表示させることができ、操作性の向上が図れる。
【０００９】
上記図面情報提供システムにおいて、前記管理サーバは、複数のプロジェクトの前記設計図面に関連した情報を前記管理データベースに格納しており、前記図面コードが前記プロジェクトを識別する識別区分を含み、前記複数のプロジェクトのうち指定された前記プロジェクトの前記識別区分を含む前記図面コードに紐付けられた前記図面画像情報と、該図面画像情報に紐付けられた部品表情報と、該部品表情報に紐付けられた詳細部品情報とを前記管理サーバから通信回線を介して取得する指定プロジェクト情報取得手段と、前記指定プロジェクト情報取得手段で取得された情報を格納する現地データベースとを有する現地サーバをさらに備え、前記端末は、前記現地サーバを介して前記管理サーバから前記指定されたプロジェクトに関する情報のみを取得するように構成することが好ましい。
【００１０】
管理サーバは複数のプロジェクトの設計図面に関連した情報を扱うため、情報量が膨大となる。そこで、上記したように、現地サーバが、複数のプロジェクトのうち指定されたプロジェクトの識別区分を含む図面コードに紐付けられた図面画像情報と、該図面画像情報に紐付けられた部品表情報と、該部品表情報に紐付けられた詳細部品情報とを取得しておき、端末は、指定されたプロジェクトに関する情報のみを現地サーバから取得するように構成することで、端末は、膨大な情報から短時間で必要な情報のみを取得することができる。
【００１１】
また、前記管理サーバは、前記部品の追跡情報を蓄積した部品追跡情報データベースから前記各部品の追跡情報を取得して、前記追跡情報を含む前記詳細部品情報を前記現地サーバに送信することが好ましい。
このように、管理サーバが、部品追跡情報データベースから各部品の追跡情報を取得して、追跡情報を含む詳細部品情報を現地サーバに送信するようにしたので、端末は必要に応じて部品の追跡情報を表示させることができるようになり、現地では部品の搬入時期を的確に把握可能となる。したがって、現地では施工、建設等の作業を円滑に進めることが可能となる。なお、ここでいう現地とは、対象物の施工、建設を行う場所である。
【００１２】
さらに、前記管理サーバは、前記管理データベースに格納される前記図面画像情報、前記部品表情報または前記詳細部品情報を更新する更新手段を有しており、前記現地サーバは、前記更新手段で更新された更新情報を前記管理サーバから取得して前記端末に送信することが好ましい。
このように、管理サーバで更新された情報を現地サーバが取得し、現地サーバが更新情報を端末に送信するようにしたので、端末は迅速に最新の情報を取得可能となる。
【００１３】
この場合、前記管理サーバの更新手段は、前記図面画像情報のうち前記管理データベースに予め格納された図面画像情報と、更新された図面画像情報とを比較して差分画像を生成し、前記管理サーバは、前記更新手段で生成された前記差分画像を前記更新情報として前記現地サーバに送信するようにしてもよい。
このように、管理サーバの更新手段が、更新前の図面画像情報と更新後の図面画像情報とを比較して差分画像を生成し、この差分画像を更新情報として現地サーバに送信するようにしたので、管理サーバと現地サーバとの間の通信量、及び現地サーバと端末との間の通信量を抑制することができる。
【００１４】
なお、前記識別区分は、前記対象物のプロジェクトを示すプロジェクト区分と、前記対象物を組み立てる作業工程に関する作業区分と、前記対象物が設置されるエリア区分と、前記対象物の機器系統に関する系統区分と、前記設計画像図面の種類を示す図面種類区分とのうち少なくともいずれかを含むようにしてもよい。
【００１５】
また、前記端末の前記図面検索手段は、前記識別区分に関連した検索用の選択項目を前記表示手段に表示させ、前記入力手段から選択された前記選択項目に基づいて前記図面コードを用いて前記図面画像情報を前記記憶手段から抽出することが好ましい。
これにより、端末を操作する操作者は、図面コードを知らなくても、要求する図面画像情報を簡単に抽出することができる。
この場合、前記端末の前記図面検索手段は、前記選択項目を図形的に前記表示手段に表示させるようにしてもよく、これにより視覚的に図面画像情報を検索でき、操作性がより一層向上する。
【００１６】
上記図面情報提供システムにおいて、前記端末は、充電池が搭載され、無線回線を介して前記現地サーバから情報を取得可能なポータブル端末であることが好ましい。
これにより、対象物の施工、建設作業を行う現地において端末を持ち運び可能となり、図面画像情報等の情報を出力することなく必要な情報を端末画面で参照しながら作業を行うことができる。
【発明の効果】
【００１７】
本発明では、管理サーバが、設計図面の属性情報を識別する図面コードに紐付けて図面画像情報を管理データベースに格納しておき、端末はこれらの情報を取得し、図面コードに基づいて選択される図面画像情報を抽出するようにしたので、設計図面の属性情報から図面画像情報を抽出して表示手段に表示させることができる。このとき、図面コードは複数の属性情報から構成されるようにしたので、必要とされる図面画像情報を異なる属性情報からも検索可能であり、様々な情報要求に対して的確に応えることができる。
また、図面画像情報に紐付けた部品表情報を表示手段に表示させ、この部品表情報の中から入力手段によって部品が選択された場合に、部品表情報に紐付けられた詳細部品情報を読み出して表示手段に表示させるようにしたので、詳細部品情報を簡単に且つ迅速に表示させることができ、操作性の向上が図れる。
【図面の簡単な説明】
【００１８】
【図１】本発明の実施形態に係る図面情報提供システムの全体構成図である。
【図２】図面画像情報及び部品表情報を表示した画面の一例を示す図である。
【図３】図面コードの一例を示す図である。
【図４】機器種類と機器区分との対応関係の一例を示す図である。
【図５】メイン画面の表示例を示す図である。
【図６】作業区分に関連した選択項目の表示例を示す図である。
【図７】図面種類選択画面の表示例を示す図である。
【図８】エリア区分に関連した選択項目の表示例を示す図である
【図９】詳細部品情報の表示例を示す図である。
【発明を実施するための形態】
【００１９】
以下、添付図面に従って本発明の実施形態について説明する。ただし、この実施形態に記載されている構成部品の寸法、材質、形状、その相対的配置等は、特定的な記載がない限り本発明の範囲をこれに限定する趣旨ではなく、単なる説明例にすぎない。
【００２０】
図１は、本発明の実施形態に係る図面情報提供システムの全体構成図である。なお、本願明細書では、本発明に係る図面情報提供システムの一例として、発電プラントを設計対象とした場合を例に説明する。発電プラントは、複数の部品から組み立てられる複数の対象物からなり、それぞれに設計図面が存在する。なお、ここでいう対象物とは、機器、装置、設備を含む。また、設計図面は、対象物の設計に用いられる図面全般を指し、例えば設計図、鳥瞰図、系統図等の様々な種類の図面を含むものである。
【００２１】
図１に示されるように、図面情報提供システムは、管理サーバ１、現地サーバ２、ポータブル端末（以下、単に端末と称する）３とを備える。管理サーバ１及び現地サーバ２は通信回線５を介して接続され、現地サーバ２及び端末３は通信回線６を介して接続されている。通信回線５及び通信回線６は、例えばインターネット回線やＬＡＮ回線などの通信回線からなり、互いに地理的に離れた場所に設置されていながら互いに各種情報のやり取りが可能となっている。なお、通信回線５及び通信回線６は同一の回線であってもよいが、特に、現地サーバ２及び端末３の間の通信回線６は、現地で端末３を持ち運び可能なように無線回線であることが好ましい。
【００２２】
管理サーバ１は、主に、情報を入力する入力手段１１と、設計図面に関連した情報を格納した管理データベース１２と、管理データベース１２に格納される情報を更新する更新手段１８とを有する。管理サーバ１は、設計図面に関連した情報を取り纏める管理者によって操作可能に構成され、現地から離れた場所に設置されていてもよい。なお、ここでいう現地とは、対象物の施工、建設を行う場所である。
【００２３】
管理データベース１２は、複数のプロジェクトに関する情報が格納されている。この管理データベース１２は、格納されている情報の種類に応じて、設計画像情報データベース１４と、部品表情報データベース１５と、詳細部品情報データベース１６に細分化されて構成されている。なお、管理データベース１２は、これらのデータベース１４、１５、１６の２以上が一体的に構成されていてもよい。
設計画像情報データベース１４には、設計図面の画像情報からなる複数の設計画像情報が格納されている。これらの設計画像情報は、図面コード１３に紐付られている。なお、設計画像情報は、図２に示すような設計図面の電子的な画像情報からなり、例えば、ＰＤＦファイル、ＴＩＦＦファイル、ＣＡＤファイル等である。
【００２４】
ここで、図面コード１３は、設計図面の属性情報を識別する複数の識別区分から構成され、複数の設計図面のそれぞれ付与される。図面コード１３の一例を図３に示す。図面コード１３は、ａ機器区分と、ｂプロジェクト区分と、ｃ作業区分と、ｄエリア区分と、ｅ系統区分と、ｆ図面種類区分とから構成される。機器区分は、配管関係、換排気関係等のように、対象物の種類を識別する。プロジェクト区分は、「Ａ地区発電プラント」等のようにプロジェクトを識別する。作業区分は、溶接、据え付け等のように対象物を組み立てる作業工程を識別する。エリア区分は、ボイラエリア、発電機エリア等のように、対象物が設置されるエリアを識別する。図面種類区分は、設計図、鳥瞰図、系統図のように、設計図面の種類を識別する。なお、系統図とは、系統的に配置される機器構成を示す図面で、例えば、配管系統や電気系統等が挙げられる。また、図面コード１３は、上記した区分を全て含む必要はなく、少なくとも２以上の区分を有していればよい。
各識別区分は、アルファベットや数字のような記号で表される。図４は、一例として、機器種類と機器区分との対応関係を示す図である。同図に示すように、機器種類ごとに機器区分がそれぞれ付与されている。
【００２５】
図１に戻り、部品表情報データベース１５には、複数の部品表情報が格納されている。部品表情報は、図２の右下に示すように、設計図面に含まれる部品名称の一覧からなる。また、この部品表情報は、設計画像情報データベース１４に格納された設計画像情報に紐付けられている。
【００２６】
詳細部品情報データベース１６には、複数の詳細部品情報が格納されている。詳細部品情報は、対象物を設計する際に必要とされる部品の詳細な情報であり、部品の追跡情報または取扱い情報を含んでいることが好ましい。ここで、部品の追跡情報とは、部品の位置情報と時刻情報とを含み、部品が現在どこに存在するかを示すものである。通常、追跡情報は、管理サーバ１とは別に設置された追跡情報データベース４から取得される。但し、この追跡情報データベース４は管理サーバ１に設けられていてもよい。この追跡情報によって、部品が出荷されたか否か、部品が輸送中であるか否か、あるいは部品が入荷されたか否かを判断することができ、部品の調達状況を迅速に把握することが可能である。さらに、詳細部品情報は、追跡情報に加えて、部品の出荷予定時期や入荷予定時期の情報を含んでいてもよい。部品の取扱い情報は、部品を取り扱う際の注意事項に関する情報であり、例えば、ＭＳＤＳ（製品安全データシート）のように指定化学物質を含有する製品の性状及び取扱いに関する情報や部品組み立て時の注意事項に関する情報等が挙げられる。なお、部品の取扱い情報は、部品の梱包資材の取扱い情報を含んでいてもよい。
【００２７】
更新手段１８は、管理データベース１２に格納された図面画像情報、部品表情報または詳細部品情報を更新する。具体的には、入力手段１１によって、図面画像情報、部品表情報または詳細部品情報の更新情報が入力されたら、リビジョン番号を付与して管理データベース１２に更新情報を格納する。そして、管理サーバ１は、現地サーバ２へ情報を送信する際に、最も新しいリビジョン番号が付与された情報を送信する。また、更新手段１８は、定期的に追跡情報データベース４から直近の追跡情報を取得し、詳細部品情報データベース１６を更新することが好ましい。このように、管理サーバ１で更新された情報を現地サーバ２が取得し、現地サーバ２が更新情報を端末３に送信するように構成することで、端末３は迅速に最新の情報を取得可能となる。
【００２８】
また、更新手段１８は、図面画像情報のうち管理データベース１２に予め格納された図面画像情報と、更新された図面画像情報とを比較して差分画像を生成し、この差分画像を更新情報として管理データベース１２に格納してもよい。この場合、最も新しいリビジョン番号を有する図面画像情報と、これより一つ前のリビジョン番号を有する図面画像情報とを比較し、画像認識によって差分画像を抽出し、差分画像のみを更新情報として管理データベース１２に格納する。管理サーバ１は、この更新手段１８で生成された差分画像のみを更新情報として現地サーバ２に送信する。この場合、現地サーバ２は、現地データベース２２に格納されている同一設計図面の図面画像情報に差分画像を合成して、この合成画像を最新図面画像情報として現地データベース２２に格納する。さらにこのとき、図面画像情報のうち差分画像を合成した領域をマーキングし、更新部分を明示することが好ましい。
【００２９】
このように、管理サーバ１の更新手段１８が、更新前の図面画像情報と更新後の図面画像情報とを比較して差分画像を生成し、この差分画像を更新情報として現地サーバ２に送信するように構成することで、管理サーバ１と現地サーバ２との間の通信量、及び現地サーバ２と端末３との間の通信量を抑制することができる。
【００３０】
現地サーバ２は、対象物が施工、建設される現地に配置され、主に、指定プロジェクト情報取得手段２１と、現地データベース２２とを有する。
指定プロジェクト情報取得手段２１は、予め指定されたプロジェクトの識別区分を含む図面コード２３に紐付けられた図面画像情報と、該図面画像情報に紐付けられた部品表情報と、該部品表情報に紐付けられた詳細部品情報とを、管理サーバ１の管理データベース１２から通信回線５を介して取得する。
現地データベース２２は、設計画像情報データベース２４と、部品表情報データベース２５と、詳細部品情報データベース２６とを有し、指定プロジェクト情報取得手段２１で取得された情報がそれぞれのデータベースに振り分けて格納されている。なお、現地データベース２２は、これらのデータベース２４、２５、２６の２以上が一体的に構成されていてもよい。現地データベース２２の各データベース２４、２５、２６の構成は、管理データベース１２と略同一であるが、指定されたプロジェクトに関する情報のみが格納されるため、管理データベース１２より情報量は少ない。
【００３１】
端末３は、主に、記憶手段３１と、入力手段３２と、表示手段３３と、図面検索手段３４と、部品情報読み出し手段３５とを有する。この端末３は、充電池が搭載され、無線回線６を介して現地サーバ２から情報を取得可能に構成されていることが好ましく、これにより現地において端末３を持ち運び可能となり、図面画像情報等の情報を出力することなく必要な情報を端末画面で参照しながら作業を行うことができる。さらに、端末３は現地に複数配置されることが好ましく、これにより現地の作業員が同一の情報を共有することができる。
【００３２】
記憶手段３１は、現地サーバ２から通信回線６を介して取得された情報が蓄積されており、現地サーバ２の現地データベース２２と同様のデータ構成を有している。すなわち、記憶手段３１には、指定されたプロジェクトに関する詳細部品情報、部品表情報及び詳細部品情報が蓄積されている。また、端末３は、記憶手段３１と、現地サーバ２の現地データベース２２とを定期的に同期させるようにしてもよい。あるいは入力手段３２から入力される更新要求があった場合に、記憶手段３１を現地データベース２２と同期させてもよい。
【００３３】
図面検索手段３４は、識別区分に関連した検索用の選択項目を表示手段３３に表示させ、入力手段３２から選択された選択項目に基づいて、図面コードを用いて図面画像情報を記憶手段３１から抽出するとともに、該図面画像情報に紐付けられた部品表情報を抽出する。
部品情報読み出し手段３５は、表示手段３３で表示された部品表から入力手段３２によって部品が選択された場合に、該選択された部品に紐付けられた詳細部品情報を記憶手段３１から読み出す。
【００３４】
次に、上記した構成を有する端末３を用いた図面情報の検索方法について説明する。
端末３は、まず表示手段３３にメイン画面５１を表示させる。図５に示すように、メイン画面５１には、識別区分に対応した複数の検索手法が表示される。検索手法としては、例えば、「工事フロー図から検索５１」、「エリアから検索５２」、「系統から検索５３」、「図面種別から検索５４」が挙げられる。このときメイン画面５１に、更新機能を有効にする情報更新５５の項目を同時に表示させてもよい。ここで、「工事フロー図から検索」が選択された場合、図６に示す検索画面が表示される。なお、図６は、作業区分に関連した選択項目の表示例を示す図である。
【００３５】
この検索画面は、識別区分に関連した検索用の選択項目からなる。例えば、作業区分に関連した選択項目を表示する場合、図６に示すように、作業工程を示す工事フロー図６０を表示させる。このとき、工事フロー図６０の各作業工程６１が選択項目となる。ユーザは、工事フロー図６０から必要な設計図面の作業工程６１を選択し、これに応じて端末３の図面検索手段３４は、選択された作業工程６１の作業区分を有する図面コードに基づいて、記憶手段３１から図面画像情報を抽出する。さらに図面検索手段３４は、この図面画像情報に紐付けられた部品表情報も同時に記憶手段３１から抽出し、これらの情報を表示手段３３に表示させる。なお、図面画像情報及び部品表情報はそれぞれ別に画面表示させることもできる。
【００３６】
また、工事フロー図６０を表示して作業工程６１を選択させた後、機器区分を選択させるようにしてもよい。この場合、作業工程６１が選択されたときに、図面検索手段３４は、この作業工程６１の作業対象となる機器種類を選択するため機器種類選択画面６２を表示させる。ここで、機器種類選択画面６２から選択された機器種類に対応した図面画像情報を表示させてもよいし、図７に示すように、選択された機器種類に対応した図面種類選択画面６６を表示させ、この図面種類選択画面６６から要求する図面を選択させるようにし、さらに図面画像情報を絞り込んでもよい。このように、図面検索手段３４は、検索用の選択項目を階層的に複数段階表示させ、選択させることによって、大量の図面画像情報から要求する図面を的確に抽出することができる。
【００３７】
さらにまた、図面検索手段３４は、選択項目を図形的に表示手段３３に表示させるようにしてもよい。図８は、エリア区分に関連した選択項目を図形的に表示させた図である。この選択画面７０では、プラントの建設エリア７１を複数のエリアＡ〜Ｆに分割し、入力手段３２によって、複数のエリアのうち一つのエリアを選択すると、このエリアに関連した図面画像情報が表示手段３３に表示されるようになっている。このとき、エリア区分のみでは該当する図面画像情報が多い場合、上記したように、階層的に他の選択項目を用いて、図面画像情報を絞り込むとよい。
【００３８】
このようにして図面検索手段３４によって図面画像情報が抽出されたら、図２に示したように、図面画像情報を表示手段３３に表示させるとともに、これに紐付けられた部品表情報を表示手段３３に表示させる。
そして、図２に示す部品表情報から入力手段３２によって部品が選択されると、図９に示すように、この部品に紐付けられた詳細部品情報７５が表示される。この詳細部品情報７５は、部品名、部品番号、追跡情報、入荷予定、取り扱い情報等を含んでいる。なお、詳細部品情報７５は、図２に示す図面画像情報に重畳して表示させてもよいし、別画面に表示させてもよい。
【００３９】
以上説明したように、本実施形態では、管理サーバ１が、設計図面の属性情報を識別する図面コードに紐付けて図面画像情報を管理データベース１２に格納しておき、端末３はこれらの情報を取得し、図面コードに基づいて選択される図面画像情報を抽出するようにしたので、設計図面の属性情報から図面画像情報を抽出して表示手段に表示させることができる。このとき、図面コードは複数の属性情報から構成されるようにしたので、必要とされる図面画像情報を異なる属性情報からも検索可能であり、様々な情報要求に対して的確に応えることができる。
【００４０】
また、図面画像情報に紐付けた部品表情報を表示手段３３に表示させ、この部品表情報の中から入力手段によって部品が選択された場合に、部品表情報に紐付けられた詳細部品情報を読み出して表示手段に表示させるようにしたので、詳細部品情報を簡単に且つ迅速に表示させることができ、操作性の向上が図れる。
【００４１】
さらにまた、現地サーバ２が、複数のプロジェクトのうち指定されたプロジェクトの識別区分を含む図面コード１３に紐付けられた図面画像情報と、該図面画像情報に紐付けられた部品表情報と、該部品表情報に紐付けられた詳細部品情報とを取得しておき、端末３は、指定されたプロジェクトに関する情報のみを現地サーバ２から取得するように構成することで、端末３は、膨大な情報から短時間で必要な情報のみを取得することができる。
【００４２】
以上、本発明の実施形態について詳細に説明したが、本発明はこれに限定されず、本発明の要旨を逸脱しない範囲において、各種の改良や変形を行ってもよいのはいうまでもない。
【符号の説明】
【００４３】
１    管理サーバ
２    現地サーバ
３    ポータブル端末
４    追跡情報データベース
５、６  通信回線
１２  管理データベース
１３、２３、図面コード
１４、２４  設計画像情報データベース
１５、２５  部品表情報データベース
１６、２６  詳細部品情報データベース
２１  指定プロジェクト情報取得手段
２２  現地データベース
３１  記憶手段
３２  入力手段
３３  出力手段
３４  図面検索手段
３５  部品情報読み出し手段
【図１】
0005896690.tif 000002
【図２】
0005896690.tif 000003
【図３】
0005896690.tif 000004
【図４】
0005896690.tif 000005
【図５】
0005896690.tif 000006
【図６】
0005896690.tif 000007
【図７】
0005896690.tif 000008
【図８】
0005896690.tif 000009
【図９】
0005896690.tif 000010